(57)【要約】      （修正有） 【課題】駆動ボードによる製造原価及び駆動ボードが占める面積を減少させることができるプラズマディスプレイ装置を提供する。【解決手段】スキャン電極とサステイン電極が形成された第１基板、 スキャン電極とサステイン電極を駆動するための第１駆動パルスと第２駆動パルスを生成する統合電極駆動部及び第１基板の一端側に形成されて第１駆動パルスと第２駆動パルスをそれぞれスキャン電極とサステイン電極に印加する電極パッドと、を含む。一端側に形成された電極パッドを通じてスキャン電極とサステイン電極に駆動パルスを印加する。【選択図】図６ｂ
2006079084.tif 000002
【特許請求の範囲】
【請求項１】
スキャン電極とサステイン電極が形成された第１基板と、
前記スキャン電極と前記サステイン電極を駆動するための第１駆動パルスと第２駆動パルスを生成する統合電極駆動部と、
前記第１基板の一端側に形成されて前記第１駆動パルスと前記第２駆動パルスをそれぞれ前記スキャン電極と前記サステイン電極に印加する電極パッドと、
を含むプラズマディスプレイ装置。
【請求項２】
前記電極パッドは複数個であり、
一つの電極パッドが前記スキャン電極と前記サステイン電極の中で一部分に前記第１駆動パルスと前記第２駆動パルスを印加することを特徴とする、請求項１記載のプラズマディスプレイ装置。
【請求項３】
前記電極パッドは一つであり、
前記一つの電極パッドが前記スキャン電極全体と前記サステイン電極全体とに前記第１駆動パルスと前記第２駆動パルスを印加することを特徴とする、 請求項１記載のプラズマディスプレイ装置。
【請求項４】
前記サステイン電極は、
一方端が前記電極パッドと電気的に接続され且つ他方端が電気的に共通に接続されいるていることを特徴とする、請求項１記載のプラズマディスプレイ装置。
【請求項５】
前記サステイン電極の中で一部分は、
一方端が前記電極パッドと電気的に接続され且つ他方端が電気的に共通に接続されていることを特徴とする、請求項１記載のプラズマディスプレイ装置。
【請求項６】
前記サステイン電極は、
一方端が前記電極パッドと電気的に接続され且つ他方端が電気的に共通に接続されており、
前記電極パッドは複数個であり、
一つの電極パッドが前記スキャン電極と前記サステイン電極の中で一部分に前記第１駆動パルスと前記第２駆動パルスを印加することを特徴とする、請求項１記載のプラズマディスプレイ装置。
【請求項７】
前記サステイン電極は、
一方端が前記電極パッドと電気的に接続され且つ他方端が電気的に共通に接続されており、
前記電極パッドは一つであり、
前記一つの電極パッドが前記スキャン電極全体と前記サステイン電極全体とに前記第１駆動パルスと前記第２駆動パルスを印加することを特徴とする、請求項１記載のプラズマディスプレイ装置。
【請求項８】
前記サステイン電極の中で一部分は、
一方端が前記電極パッドと電気的に接続され且つ他方端が電気的に共通に接続されており、
前記電極パッドは複数個であり、
一つの電極パッドが前記スキャン電極と前記サステイン電極の中で一部分に前記第１駆動パルスと前記第２駆動パルスを印加することを特徴とする、請求項１記載のプラズマディスプレイ装置。
【請求項９】
前記サステイン電極の中で一部分は、
一方端が前記電極パッドと電気的に接続され且つ他方端が電気的に共通に接続されており、
前記電極パッドは一つであり、
前記一つの電極パッドが前記スキャン電極全体と前記サステイン電極全体に前記第１駆動パルスと前記第２駆動パルスを印加することを特徴とする、請求項１記載のプラズマディスプレイ装置。
【請求項１０】
スキャン電極とサステイン電極が形成された第１基板と、
前記第１基板の一端側に形成されて外部から入力された第１駆動パルス及び第２駆動パルスをそれぞれ前記スキャン電極と前記サステイン電極とに印加する電極パッドと、
を含むことを特徴とするプラズマディスプレイパネル。
【請求項１１】
前記電極パッドは複数個であり、
一つの電極パッドが前記スキャン電極と前記サステイン電極の中で一部分に前記第１駆動パルスと前記第２駆動パルスを印加することを特徴とする、 請求項１０記載のプラズマディスプレイパネル。
【請求項１２】
前記電極パッドは一つであり、
前記一つの電極パッドが前記スキャン電極全体と前記サステイン電極全体に前記第１駆動パルスと前記第２駆動パルスを印加することを特徴とする、 請求項１０記載のプラズマディスプレイパネル。
【請求項１３】
前記サステイン電極は、
一方端が前記電極パッドと電気的に接続され且つ他方端が電気的に共通に接続されていることを特徴とする、請求項１０記載のプラズマディスプレイパネル。
【請求項１４】
前記サステイン電極の中で一部分は、
一方端が前記電極パッドと電気的に接続され且つ他方端が電気的に共通に接続されていることを特徴とする、請求項１０記載のプラズマディスプレイパネル。
【請求項１５】
前記サステイン電極は、
一方端が前記電極パッドと電気的に接続され且つ他方端が電気的に共通に接続されており、
前記電極パッドは複数個であり、
一つの電極パッドが前記スキャン電極と前記サステイン電極の中で一部分に前記第１駆動パルスと前記第２駆動パルスを印加することを特徴とする、 請求項１０記載のプラズマディスプレイパネル。
【請求項１６】
前記サステイン電極は、
一方端が前記電極パッドと電気的に接続され且つ他方端が電気的に共通に接続されており、
前記電極パッドは一つであり、
前記一つの電極パッドが前記スキャン電極全体と前記サステイン電極全体に前記第１駆動パルスと前記第２駆動パルスを印加することを特徴とする、 請求項１０記載のプラズマディスプレイパネル。
【請求項１７】
前記サステイン電極の中で一部分は、
一方端が前記電極パッドと電気的に接続され且つ他方端が電気的に共通に接続されており、
前記電極パッドは複数個であり、
一つの電極パッドが前記スキャン電極と前記サステイン電極の中で一部分に前記第１駆動パルスと前記第２駆動パルスを印加することを特徴とする、請求項１０記載のプラズマディスプレイパネル。
【請求項１８】
前記サステイン電極の中で一部分は、
一方端が前記電極パッドと電気的に接続され且つ他方端が電気的に共通に接続されており、
前記電極パッドは一つであり、
前記一つの電極パッドが前記スキャン電極全体と前記サステイン電極全体に前記第１駆動パルスと前記第２駆動パルスを印加することを特徴とする、請求項１０記載のプラズマディスプレイパネル。
【発明の詳細な説明】
【技術分野】
【０００１】
本発明はプラズマディスプレイ装置に関し、より詳くは、電極を含むプラズマディスプレイ装置に関する。
【背景技術】
【０００２】
一般的にプラズマディスプレイ装置は上部基板と下部基板で構成される。上部基板と下部基板の間の間隔は隔壁によって維持される。隔壁は単位セルを形成する。各セル内にはネオン（Ｎｅ）またはヘリウム（Ｈｅ）のような主放電気体と少量のキセノンを含む不活性ガスが充填される。
【０００３】
高周波電圧が印加される時、不活性ガスは真空紫外線（Ｖａｃｕｕｍ  Ｕｌｔｒａｖｉｏｌｅｔ  Ｒａｙｓ）を発生して真空紫外線が蛍光体を発光させて画像が具現される。このようなプラズマディスプレイ装置のパネルは薄く軽いので次世代表示装置として脚光を浴びている。
【０００４】
図１は一般的なプラズマディスプレイ装置のパネル構造を示す。図１に示すのように、一般的なプラズマディスプレイ装置のパネルは画像が表示される上部基板１００及び下部基板１１０からなる。
【０００５】
上部基板１００にはスキャン電極１０１及びスキャン電極１０２が形成される。スキャン電極１０１及びスキャン電極１０２それぞれは、透明なＩＴＯ物質で形成された透明電極(ａ)と金属材質に製作されたバス電極Ｂとを備える。誘電体層１０３はスキャン電極１０１及びスキャン電極１０２を覆って放電電流を制限して電極の間を絶縁させる。保護層１０４は誘電体層１０３上面に酸化マグネシウム（ＭＧＯ）の蒸着によって形成されて、電極を保護して二次電子を放出する。
【０００６】
下部基板１１０には放電セルを形成させるための隔壁１１１が形成される。また、複数のアドレス電極１１２が隔壁１１１に対して平行に配置される。可視光線を放出するＲ、Ｇ、Ｂ蛍光体１１３は隔壁１１１と隔壁１１１の間に塗布される。白色誘電体１１４は、アドレス電極１１２を保護して蛍光体１１３で放出される可視光線を上部基板１００に反射させる。
【０００７】
図２は従来のプラズマディスプレイ装置を示す。図２に示すのように、一般的なプラズマディスプレイ装置は、プラズマディスプレイパネル２０、データ駆動部４０、スキャン駆動部３０及びサステイン駆動部５０を含む。
【０００８】
プラズマディスプレイパネル２０は、アドレス電極(Ｘ１〜Ｘｍ)、スキャン電極（Ｙ１〜Ｙｎ）及びサステイン電極（Ｚ１〜Ｚｎ）を含む。アドレス電極は、Ｘ１からＸｎまで垂直方向に配列される。スキャン電極は、プラズマディスプレイパネル２０の一端側にＹ１からＹｎまで水平方向に配列される。サステイン電極は前記一端側の反対側にＺ１からＺｎまで順次に配列される。
【０００９】
スキャン駆動部３０は、セル内部にある電荷状態を初期化するためのランプパルス、アドレス放電をするためのスキャンパルス及び放電を維持するためのサステインパルスをスキャン電極（Ｙ１〜Ｙｎ）に印加する。
【００１０】
データ駆動部４０は、スキャン駆動部３０が印加するスキャンパルスに同期化してアドレスパルスをアドレス電極(Ｘ１〜Ｘｍ)に印加する。
【００１１】
サステイン駆動部５０は、スキャン駆動部３０が印加するサステインパルスに交番されるサステインパルスをサステイン電極（Ｚ１〜Ｚｎ）に印加する。
【００１２】
この時、電極パッド３５はスキャン駆動部３０とスキャン電極（Ｙ１〜Ｙｎ）を連結し、電極パッド５５はサステイン駆動部５０とサステイン電極（Ｚ１〜Ｚｎ）を連結する。
【００１３】
このような一般的なプラズマディスプレイ装置の構造によってスキャン電極（Ｙ１〜Ｙｎ）に印加される駆動パルスの印加方向とサステイン電極（Ｚ１〜Ｚｎ）に印加される駆動パルスの印加方向は互いに反対である。例えば、スキャン駆動部３０は、プラズマディスプレイパネル２０の左側でスキャン電極（Ｙ１〜Ｙｎ）に駆動パルスを印加し、サステイン駆動部５０はプラズマディスプレイパネル２０の右側でサステイン電極（Ｚ１〜Ｚｎ）に駆動パルスを印加する。したがって、電極パッド(３５、５５)は、プラズマディスプレイパネル２０の両側に形成される。
【００１４】
スキャン駆動部３０、データ駆動部４０及びサステイン駆動部５０は、駆動ボードの形態で具現されて、各駆動ボードはプラズマディスプレイパネルの背面に固定されたフレーム上に形成される。
【００１５】
図３は、従来のプラズマディスプレイ装置のフレーム上に固定された各駆動ボードの配置例を示す。図３に示すのように、スキャン駆動ボード６０、データ駆動ボード７０及びサステイン駆動ボード８０は、フレーム９０上に固定されている。フレーム９０は、プラズマディスプレイパネル２０を支持してプラズマディスプレイパネル２０で発生された熱を外部に放出する。
【００１６】
スキャン駆動ボード６０は、フレーム９０の一端側に固定され、プラズマディスプレイパネル２０の一端側に形成されたスキャン電極と電気的に接続されている。サステイン駆動ボード８０は、一端側の反対側であるフレーム９０の他側に固定され、プラズマディスプレイパネル２０の他側に形成されたサステイン電極と電気的に接続されている。
【００１７】
このような従来のプラズマディスプレイ装置は、２個の駆動ボードを具備しなければならないので製造原価が上昇する。また、２個の駆動ボードによって駆動ボードの占める面積が増加する問題点がある。
【００１８】
図４は、他の従来のプラズマディスプレイ装置を示す。図４に示すように、このプラズマディスプレイ装置は、プラズマディスプレイパネル２０、データ駆動部４０及び統合駆動部１０００を含む。
【００１９】
プラズマディスプレイパネル２０は、アドレス電極(Ｘ１〜Ｘｍ)、スキャン電極（Ｙ１〜Ｙｎ）及びサステイン電極（Ｚ１〜Ｚｎ）を含む。アドレス電極は、Ｘ１からＸｎまで垂直方向に配列される。スキャン電極は、プラズマディスプレイパネル２０の一端側にＹ１からＹｎまで水平方向に配列される。サステイン電極は、前記一端側の反対側にＺ１からＺｎまで順次に配列される。
【００２０】
統合駆動部１０００は、セル内部にある電荷状態を初期化するためのランプパルス、アドレス放電をするためのスキャンパルス及び放電を維持するためのサステインパルスをスキャン電極（Ｙ１〜Ｙｎ）に印加して、スキャン電極（Ｙ１〜Ｙｎ）に印加されるサステインパルスに交番されるサステインパルスをサステイン電極（Ｚ１〜Ｚｎ）に印加する。
【００２１】
データ駆動部４０は、統合駆動部１０００が印加するスキャンパルスに同期化してアドレスパルスをアドレス電極(Ｘ１〜Ｘｍ)に印加する。
【００２２】
この時、電極パッド(３５、５５)は、統合駆動部１０００とスキャン電極（Ｙ１〜Ｙｎ）及びサステイン電極（Ｚ１〜Ｚｎ）を連結する。
【００２３】
このようなプラズマディスプレイ装置の構造によって、スキャン電極（Ｙ１〜Ｙｎ）に印加される駆動パルスの印加方向とサステイン電極（Ｚ１〜Ｚｎ）に印加される駆動パルスの印加方向はお互いに反対である。したがって電極パッド(３５、５５)はプラズマディスプレイパネル２０の両側に形成される。
【００２４】
統合駆動部１０００及びデータ駆動部４０は駆動ボードの形態で具現されて、各駆動ボードはプラズマディスプレイパネルの背面に固定されたフレーム上に形成される。
【００２５】
図５は、さらに他の従来のプラズマディスプレイ装置のフレーム上に附着した各駆動ボードの配置例を示す。図５に示すのように、統合駆動ボード１１００及びデータ駆動ボード７０がフレーム９０上に固定されている。統合駆動ボード１１００は、図２に示すスキャン駆動部３０とサステイン駆動部５０を一つのボードに具現したものである。したがって、統合駆動ボード１１００は、フレーム９０の一端側に固定され、プラズマディスプレイパネル２０の一端側に形成されたスキャン電極と電気的に接続されると共に、ＦＰＣ（Ｆｌｅｘｉｂｌｅ  Ｐｒｉｎｔｅｄ  Ｃｉｒｃｕｉｔ）のようなケーブル１２０を通じてサステイン電極と電気的に接続される。
【００２６】
このような従来のプラズマディスプレイ装置は、長さが長いケーブル１２０を具備しなければならない。ケーブル１２０の長さが長くなれば駆動パルスが印加される経路が長くなってノイズが発生しやすい。これによってケーブル１２０を通じて印加される駆動パルスが歪曲される問題点が発生する。またケーブル１２０の長さが長くなれば製造原価の上昇する問題点が発生する。
【発明の開示】
【発明が解決しようとする課題】
【００２７】
本発明の目的は、駆動ボードによる製造原価及び駆動ボードが占める面積を減少させることができるプラズマディスプレイ装置を提供することにある。
【００２８】
本発明のまた他の目的は、駆動パルスが印加される経路を縮めることができるプラズマディスプレイ装置を提供するすることにある。
【課題を解決するための手段】
【００２９】
本発明によるプラズマディスプレイ装置はスキャン電極とサステイン電極が形成されたガラス基板、 前記スキャン電極と前記サステイン電極を駆動するための第１駆動パルスと第２駆動パルスを生成する統合電極駆動部及び前記ガラス基板の一側に形成されて前記第１駆動パルスと前記第２駆動パルスをそれぞれ前記スキャン電極と前記サステイン電極に印加する電極パッドを含む。
【００３０】
本発明によるプラズマディスプレイパネルはスキャン電極とサステイン電極が形成されたガラス基板及び前記ガラス基板の一側に形成されて外部で入力された第１駆動パルスと第２駆動パルスをそれぞれ前記スキャン電極と前記サステイン電極に印加する電極パッドを含む。
【００３１】
前記電極パッドは複数個であり、 一つの電極パッドが前記スキャン電極と前記サステイン電極の中で一部分に前記第１駆動パルスと前記第２駆動パルスを印加することを特徴とする。
【００３２】
前記電極パッドは一つであり、 前記一つの電極パッドが前記スキャン電極全体と前記サステイン電極全体に前記第１駆動パルスと前記第２駆動パルスを印加することを特徴とする。
【００３３】
前記サステイン電極は、 一方端が前記電極パッドと電気的に接続されて他方端は電気的に共通繋がれていることを特徴とする。
【００３４】
前記サステイン電極の中で一部分は一方端が前記電極パッドと電気的に繋がれて他方端は電気的に共通繋がれていることを特徴とする。
【００３５】
前記サステイン電極は一方端が前記電極パッドと電気的に繋がれて他方端は電気的に共通繋がれていて、前記電極パッドは複数個であり、 一つの電極パッドが前記スキャン電極と前記サステイン電極の中で一部分に前記第１駆動パルスと前記第２駆動パルスを印加することを特徴とする。
【００３６】
前記サステイン電極は一方端が前記電極パッドと電気的に繋がれて他方端は電気的に共通繋がれていて、 前記電極パッドは一つであり、 前記一つの電極パッドが前記スキャン電極全体と前記サステイン電極全体に前記第１駆動パルスと前記第２駆動パルスを印加することを特徴とする。
【００３７】
前記サステイン電極の中で一部分は一方端が前記電極パッドと電気的に繋がれて他方端は電気的に共通繋がれていて、 前記電極パッドは複数個であり、一つの電極パッドが前記スキャン電極と前記サステイン電極の中で一部分に前記第１駆動パルスと前記第２駆動パルスを印加することを特徴とする。
【００３８】
前記サステイン電極の中で一部分は一方端が前記電極パッドと電気的に繋がれて他方端は電気的に共通繋がれていて、 前記電極パッドは一つであり、 前記一つの電極パッドが前記スキャン電極全体と前記サステイン電極全体に前記第１駆動パルスと前記第２駆動パルスを印加することを特徴とする。
【００３９】
本発明によるプラズマディスプレイパネルはスキャン電極とサステイン電極が形成されたガラス基板及び前記ガラス基板の一側に形成されて外部で入力された第１駆動パルスと第２駆動パルスをそれぞれ前記スキャン電極と前記サステイン電極に印加する電極パッドを含む。
【発明の効果】
【００４０】
本発明のプラズマディスプレイ装置は一側に形成された電極パッドを通じてスキャン電極とサステイン電極で駆動パルスを印加して製造原価及び駆動ボードの面積を減少させる。
【００４１】
本発明のプラズマディスプレイ装置は一側に形成された電極パッドを通じてスキャン電極とサステイン電極で駆動パルスを印加して駆動パルスの印加経路を縮めるので製造原価を減少させる。
【００４２】
本発明のプラズマディスプレイ装置は一側に形成された電極パッドを通じてスキャン電極とサステイン電極で駆動パルスを印加して駆動パルスの印加経路を縮めるので正確な駆動パルスを印加する。
【発明を実施するための最良の形態】
【００４３】
以下では、本発明による具体的な実施形態を添付された図面を参照して説明する。
【００４４】
〈第１実施形態〉
図６ａは、本発明によるプラズマディスプレイパネルの一の実施形態を示す。図６ａに示すのように、本発明のプラズマディスプレイパネルは、上部ガラス基板１１０、電極パッド１２０及び下部ガラス基板１３０を含む。
【００４５】
上部ガラス基板１１０にはスキャン電極（Ｙ１〜Ｙｎ）とサステイン電極（Ｚ１〜Ｚｎ）が形成される。
【００４６】
電極パッド１２０は、上部ガラス基板１１０の一端側に形成されて外部から入力された第１駆動パルスと第２駆動パルスをそれぞれスキャン電極（Ｙ１〜Ｙｎ）及びサステイン電極（Ｚ１〜Ｚｎ）に印加する。第１駆動パルスは、ランプパルス、スキャンパルスまたはサステインパルスのようなパルスであり、スキャン電極の駆動のためのパルスである。第２駆動パルスは、スキャン電極に印加されるサステインパルスと交番されるように印加されるサステインパルスのようなパルスであり、サステイン電極の駆動のためのパルスである。この時、一つの電極パッド１２０は、全てのスキャン電極及び全てのサステイン電極の中で一部分に、第１駆動パルス及び第２駆動パルスを印加する。図６ａでは、最上段の電極パッド１２０がスキャン電極Ｙ１，Ｙ２、サステイン電極Ｚ１，Ｚ２に第１駆動パルス及び第２駆動パルスを印加し、最下段の電極パッド１２０がスキャン電極Ｙｎ−１，Ｙｎ、サステイン電極Ｚｎ−１，Ｚｎに第１駆動パルス及び第２駆動パルスを印加する。即ち、図６ａの構成では、各電極パッド１２０は、スキャン電極２本、サステイン電極２本に第１駆動パルス及び第２駆動パルスを印加する。
なお、図６ｂに示すのように、、１つの電極パッド１２０が、全てのスキャン電極及びサステイン電極に接続される構成としても良い。この構成では、一つの電極パッド１２０が全てのスキャン電極及び全てのサステイン電極に第１駆動パルス及び第２駆動パルスを印加することもできる。
【００４７】
下部ガラス基板１３０は、ガラス基板１１０の背面と平行に配置される。下部ガラス基板１３０にはアドレス電極(Ｘ１〜Ｘｍ)が形成される。アドレス電極（Ｘ１〜Ｘｍ）は、スキャン電極及びサステイン電極と直交するように形成されている。
【００４８】
このような本発明によるプラズマディスプレイパネルでは、図２または図４に示す従来のプラズマディスプレイ装置とは異なる電極パッド１２０が、上部ガラス基板１１０の一端側に形成される。これによって、第１駆動パルスと第２駆動パルスが印加される方向は等しい。例えば、図６のように電極パッド１２０が上部ガラス基板１１０の左側に形成される場合、第１駆動パルスと第２駆動パルスは上部ガラス基板１１０の左側から入力される。
【００４９】
したがって、本発明によるプラズマディスプレイパネルでは、一つの駆動部を通じてスキャン電極とサステイン電極が駆動されることができるだけでなく、サステイン電極を駆動するためのケーブルが必要ない。
【００５０】
〈第２実施形態〉
図７ａは、本発明によるプラズマディスプレイ装置の一の実施形態を示す。図７ａに示すのように、本発明によるプラズマディスプレイ装置は、上部ガラス基板１１０、 統合電極駆動部１１５、電極パッド１２０、 下部ガラス基板１３０ 及びデータ駆動部４０を含む。
【００５１】
上部ガラス基板１１０にはスキャン電極（Ｙ１〜Ｙｎ）とサステイン電極（Ｚ１〜Ｚｎ）が形成される。
【００５２】
統合電極駆動部１１５は、前記スキャン電極と前記サステイン電極を駆動するための第１駆動パルスと第２駆動パルスを生成する。
【００５３】
電極パッド１２０は、上部ガラス基板１１０の一端側に形成されて統合電極駆動部１１５から入力された第１駆動パルスと第２駆動パルス（上述）をそれぞれスキャン電極（Ｙ１〜Ｙｎ）とサステイン電極（Ｚ１〜Ｚｎ）に印加する。この時、一つの電極パッド１２０は、全てのスキャン電極及び全てのサステイン電極の中で一部分に、第１駆動パルス及び第２駆動パルスを印加する。図７ａでは、最上段の電極パッド１２０がスキャン電極Ｙ１，Ｙ２、サステイン電極Ｚ１，Ｚ２に第１駆動パルス及び第２駆動パルスを印加し、最下段の電極パッド１２０がスキャン電極Ｙｎ−１，Ｙｎ、サステイン電極Ｚｎ−１，Ｚｎに第１駆動パルス及び第２駆動パルスを印加する。即ち、図７ａの構成では、各電極パッド１２０は、スキャン電極２本、サステイン電極２本に第１駆動パルス及び第２駆動パルスを印加する。
なお、図７ｂに示すのように、１つの電極パッド１２０が、全てのスキャン電極及びサステイン電極に接続される構成としても良い。この構成では、一つの電極パッド１２０が全てのスキャン電極及び全てのサステイン電極に第１駆動パルスと第２駆動パルスを印加することもできる。
【００５４】
下部ガラス基板１３０は、ガラス基板１１０の背面と平行に配置される。下部ガラス基板１３０にはアドレス電極(Ｘ１〜Ｘｍ)が形成される。アドレス電極（Ｘ１〜Ｘｍ）は、スキャン電極及びサステイン電極と直交するように形成されている。
【００５５】
データ駆動部４０はアドレスパルスをアドレス電極(Ｘ１〜Ｘｍ)に印加する。
【００５６】
このような本発明によるプラズマディスプレイ装置では、図２または図４に示す従来のプラズマディスプレイ装置とは異なる電極パッド１２０が上部ガラス基板１１０の一端側に形成されるので、統合電極駆動部１１５がスキャン電極（Ｙ１〜Ｙｎ）とサステイン電極（Ｚ１〜Ｚｎ）を駆動することができるだけでなく、サステイン電極（Ｚ１〜Ｚｎ）を駆動するためのケーブルが必要ない。
【００５７】
統合電極駆動部１１５とデータ駆動部４０は、駆動ボードの形態で具現され、各駆動ボードはプラズマディスプレイパネルの背面に固定されたフレーム上に形成される。
【００５８】
〈第３実施形態〉
図８は、本発明によるプラズマディスプレイ装置のフレーム上に固定された各駆動ボードの配置例を示す。図８に示すのように、統合電極駆動ボード１４０及びデータ駆動ボード７０がフレーム９０上に固定されている。統合電極駆動ボード１４０は、図７の統合電極駆動部１１５を具現したものである。
【００５９】
統合電極駆動ボード１４０は、フレーム９０の一端側に固定され、図７の電極パッド１２０を通じてプラズマディスプレイパネル２０のスキャン電極及びサステイン電極と電気的に接続されている。統合電極駆動ボード１４０は、第１駆動パルス及び第２駆動パルスをそれぞれスキャン電極とサステイン電極に印加する。例えば統合電極駆動ボード１４０がサステインパルスを図７の電極パッド１２０を通じてスキャン電極に印加した後、交番されるサステインパルスを図７の電極パッド１２０を通じてサステイン電極に印加する。
【００６０】
したがって、本発明のプラズマディスプレイ装置は、プラズマディスプレイパネルの一端側に形成された電極パッドと一つの駆動ボードを通じて、スキャン電極とサステイン電極を両方ともに駆動することができる。これによって、製造原価が減少し、駆動ボードの占める面積が減る。また、サステイン電極を駆動するためのケーブルが必要ない為、製造原価が減少して正確な駆動パルスの印加が可能である。
【００６１】
〈第４実施形態〉
図９ａは、本発明によるプラズマディスプレイパネルに形成されたサステイン電極の連結関係の一の実施形態を示す。図９ａに示すのように、電極パッド１２０は、上部ガラス基板１１０の一端側に形成されており、外部から入力された第１駆動パルスと第２駆動パルスをそれぞれスキャン電極（Ｙ１〜Ｙｎ）とサステイン電極（Ｚ１〜Ｚｎ）に印加する。この時、全てのサステイン電極（Ｚ１〜Ｚｎ）が共通に接続されている。これによって、全てのサステイン電極（Ｚ１〜Ｚｎ）は等電位になる。したがって、プラズマディスプレイパネルの一端側に形成された電極パッド１２０を通じて、全てのサステイン電極（Ｚ１〜Ｚｎ）に第２駆動パルスが印加される時、より正確な電極駆動が可能である。即ち、１つの電極パッド１２０に接続されるサステイン電極が電極パッド１２０の反対側で共通に接続されているので、共通に接続されたサステイン電極（Ｚ１〜Ｚｎ）が等電位となり易く、サステイン電極が共通に接続されていない場合に比較して、正確な電極駆動が可能となる。
【００６２】
このように接続されたサステイン電極が形成されたプラズマディスプレイパネルを利用して、図９ｂに示すプラズマディスプレイ装置が具現可能である。この時、一つの電極パッド１２０は、全てのスキャン電極及び全てのサステイン電極の中で一部分に第１駆動パルスと第２駆動パルスを印加する。図９ｂでは、最上段の電極パッド１２０がスキャン電極Ｙ１，Ｙ２、サステイン電極Ｚ１，Ｚ２に第１駆動パルス及び第２駆動パルスを印加し、最下段の電極パッド１２０がスキャン電極Ｙｎ−１，Ｙｎ、サステイン電極Ｚｎ−１，Ｚｎに第１駆動パルス及び第２駆動パルスを印加する。即ち、図９ｂの構成では、各電極パッド１２０は、スキャン電極２本、サステイン電極２本に第１駆動パルス及び第２駆動パルスを印加する。このとき、全サステイン電極が電極パッド１２０の反対側で共通に接続されているので、全サステイン電極（Ｚ１〜Ｚｎ）が等電位となり易く、サステイン電極が共通に接続されていない場合に比較して、正確な電極駆動が可能となる。
【００６３】
なお、このようなサステイン電極が形成されたプラズマディスプレイパネル（図９ａ）を利用して、図９ｃに示すプラズマディスプレイ装置が具現可能である。このプラズマディスプレイ装置では、１つの電極パッド１２０が、全てのスキャン電極及びサステイン電極に接続されている。この時、一つの電極パッド１２０が全てのスキャン電極及び全てのサステイン電極に第１駆動パルスと第２駆動パルスを印加することもできる。このとき、全サステイン電極が電極パッド１２０の反対側で共通に接続されているので、全サステイン電極（Ｚ１〜Ｚｎ）が等電位となり易く、サステイン電極が共通に接続されていない場合に比較して、正確な電極駆動が可能となる。
【００６４】
統合電極駆動部１１５及びデータ駆動部４０の動作は先立って詳しく説明したので省略する。
【００６５】
〈第５実施形態〉
図１０ａは、本発明によるプラズマディスプレイパネルに形成されたサステイン電極の連結関係の他の実施形態を示す。図１０ａに示すのように、電極パッド１２０は、上部ガラス基板１１０の一端側に形成されており、外部から入力された第１駆動パルスと第２駆動パルスをそれぞれスキャン電極（Ｙ１〜Ｙｎ）とサステイン電極（Ｚ１〜Ｚｎ）に印加する。この時、全てのサステイン電極（Ｚ１〜Ｚｎ）中一部分のサステイン電極が共通で接続され、共通に接続されたサステイン電極が１つの電極パッド１２０に接続されている。これによって共通で接続されたサステイン電極は等電位になる。したがって、プラズマディスプレイパネルの一端側に形成された電極パッド１２０を通じて全てのサステイン電極（Ｚ１〜Ｚｎ）に第２駆動パルスが印加される時、より正確な電極駆動が可能である。図１０ａでは、最上段の電極パッド１２０がスキャン電極Ｙ１，Ｙ２、サステイン電極Ｚ１，Ｚ２に第１駆動パルス及び第２駆動パルスを印加し、最下段の電極パッド１２０がスキャン電極Ｙｎ−１，Ｙｎ、サステイン電極Ｚｎ−１，Ｚｎに第１駆動パルス及び第２駆動パルスを印加する。即ち、図１０ａの構成では、各電極パッド１２０は、スキャン電極２本、サステイン電極２本に第１駆動パルス及び第２駆動パルスを印加する。このとき、１つの電極パッド１２０に接続されるサステイン電極が電極パッド１２０の反対側で共通に接続されているので、共通に接続されたサステイン電極が等電位となり易く、サステイン電極が共通に接続されていない場合に比較して、正確な電極駆動が可能となる。
【００６６】
このように接続されたサステイン電極が形成されたプラズマディスプレイパネルを利用して図１０ｂに示すプラズマディスプレイ装置が具現可能である。この時、一つの電極パッド１２０は、全てのスキャン電極及び全てのサステイン電極の中で一部分に第１駆動パルスと第２駆動パルスを印加する。図１０ｂでは、最上段の電極パッド１２０がスキャン電極Ｙ１，Ｙ２、サステイン電極Ｚ１，Ｚ２に第１駆動パルス及び第２駆動パルスを印加し、最下段の電極パッド１２０がスキャン電極Ｙｎ−１，Ｙｎ、サステイン電極Ｚｎ−１，Ｚｎに第１駆動パルス及び第２駆動パルスを印加する。即ち、図１０ｂの構成では、各電極パッド１２０は、スキャン電極２本、サステイン電極２本に第１駆動パルス及び第２駆動パルスを印加する。このとき、１つの電極パッド１２０に接続されるサステイン電極が電極パッド１２０の反対側で共通に接続されているので、共通に接続されたサステイン電極が等電位となり易く、サステイン電極が共通に接続されていない場合に比較して、正確な電極駆動が可能となる。
【００６７】
また、このように一部のサステイン電極が共通に接続されたサステイン電極が形成されたプラズマディスプレイパネルを利用して、図１０ｃに示すプラズマディスプレイ装置が具現可能である。このプラズマディスプレイ装置では、１つの電極パッド１２０が、全てのスキャン電極及びサステイン電極に接続されている。この時、一つの電極パッド１２０が全体スキャン電極及び全体サステイン電極に第１駆動パルスと第２駆動パルスを印加することができる。このとき、１つの電極パッド１２０に接続されるサステイン電極が電極パッド１２０の反対側で所定個数ずつ共通に接続されているので、所定個数ずつ接続されたサステイン電極（Ｚ１とＺ２、・・・、Ｚｎ−１とＺｎ）が等電位となり易く、サステイン電極が接続されていない場合に比較して、正確な電極駆動が可能となる。
【００６８】
統合電極駆動部１１５及びデータ駆動部４０の動作は先立って詳しく説明したので省略する。
【図面の簡単な説明】
【００６９】
【図１】一般的なプラズマディスプレイ装置のパネル構造を示す図。
【図２】従来のプラズマディスプレイ装置を示す図。
【図３】従来のプラズマディスプレイ装置のフレーム上に附着した各駆動ボードの配置例を示す図。
【図４】従来のま他のプラズマディスプレイ装置を示す図。
【図５】従来のまた他のプラズマディスプレイ装置のフレーム上に附着した各駆動ボードの配置例を示す図。
【図６ａ】図６ａは本発明によるプラズマディスプレイパネルの一実施形態を示す図。
【図６ｂ】図６ｂは本発明によるプラズマディスプレイパネルの他の実施形態を示す図。
【図７ａ】図７ａは本発明によるプラズマディスプレイ装置の一実施形態を示す図。
【図７ｂ】図７ｂは本発明によるプラズマディスプレイ装置のまた他の実施形態を示す図。
【図８】本発明によるプラズマディスプレイ装置のフレーム上に附着した各駆動ボードの配置例を示す図。
【図９ａ】図９ａは本発明によるプラズマディスプレイパネルに形成されたサステイン電極の連結関係の一実施形態を示す図。
【図９ｂ】図９ｂは図９ａの一実施形態によって接続されたサステイン電極が形成されたプラズマディスプレイパネルを利用して構成されたプラズマディスプレイ装置の一実施形態を示す図。
【図９ｃ】図９ｃは図９ａの一実施形態によって接続されたサステイン電極が形成されたプラズマディスプレイパネルを利用して構成されたプラズマディスプレイ装置の他の実施形態を示す図。
【図１０ａ】図１０ａは本発明によるプラズマディスプレイパネルに形成されたサステイン電極の連結関係の他の実施形態を示す図。
【図１０ｂ】図１０ｂは図１０ａの他の実施形態によって接続されたサステイン電極が形成されたプラズマディスプレイパネルを利用して構成されたプラズマディスプレイ装置の一実施形態を示す図。
【図１０ｃ】図１０ｃは図１０ａの他の実施形態によって接続されたサステイン電極が形成されたプラズマディスプレイパネルを利用して構成されたプラズマディスプレイ装置の他の実施形態を示す図。
【符号の説明】
【００７０】
２０  プラズマディスプレイパネル
３０  スキャン駆動部
３５  電極パッド
４０  データ駆動部
５０  サステイン駆動部
５５  電極パッド
６０  スキャン駆動ボード
７０  データ駆動ボード７０
８０  サステイン駆動ボード
９０  フレーム
１１０  上部ガラス基板
１１５  統合電極駆動部
１２０  ケーブル
１３０  下部ガラス基板
【図１】
2006079084.tif 000003
【図２】
2006079084.tif 000004
【図３】
2006079084.tif 000005
【図４】
2006079084.tif 000006
【図５】
2006079084.tif 000007
【図６ａ】
2006079084.tif 000008
【図６ｂ】
2006079084.tif 000009
【図７ａ】
2006079084.tif 000010
【図７ｂ】
2006079084.tif 000011
【図８】
2006079084.tif 000012
【図９ａ】
2006079084.tif 000013
【図９ｂ】
2006079084.tif 000014
【図９ｃ】
2006079084.tif 000015
【図１０ａ】
2006079084.tif 000016
【図１０ｂ】
2006079084.tif 000017
【図１０ｃ】
2006079084.tif 000018